(57)【要約】【課題】簡単な構成で遊技球の発射力や、その調節範囲を容易に調整可能とする。【解決手段】遊技機（１０）の遊技領域１４に遊技球を打ち出すための、打力調節ユニット５２に伝えられる操作ハンドル１６の回動変位に応じて、遊技球の発射力が調節可能とされた遊技機の球技球発射装置において、前記操作ハンドル１６の回動変位を打力調節ユニット５２に伝える中間リンク２１０を備え、該中間リンク２１０の少なくとも一端の結合位置を変えることで、発射力及び、その調節範囲の少なくともいずれか一方を調整可能とする。【選択図】図１３
2006345921.tif 000002
【特許請求の範囲】
【請求項１】
遊技機の遊技領域に遊技球を打ち出すための、打力調節ユニットに伝えられる操作ハンドルの回動変位に応じて、遊技球の発射力が調節可能とされた遊技機の遊技球発射装置において、
前記操作ハンドルの回動変位を打力調節ユニットに伝える中間リンクを備え、
該中間リンクの少なくとも一端の結合位置を変えることで、発射力、及び、その調節範囲の少なくともいずれか一方を調整可能としたことを特徴とする遊技機の遊技球発射装置。
【請求項２】
前記中間リンクの少なくとも一端の結合位置を変えるための長穴を備えたことを特徴とする請求項１に記載の遊技機の遊技球発射装置。
【請求項３】
請求項１又は２に記載の遊技球発射装置を備えたことを特徴とする遊戯機。
【発明の詳細な説明】
【技術分野】
【０００１】
本発明は、遊技球の遊技領域の遊技球を打ち出すための遊技球発射装置及び遊技機に係り、特に、打力調節ユニットに伝えられる操作ハンドルの回動変位に応じて、遊技球の発射力が調節可能とされた遊技球発射装置、及び、これを備えた遊技機に関する。
【背景技術】
【０００２】
遊技機の遊技球、例えば図１にガラス面１２を開いた状態を示すパチンコ機１０のパチンコ球を、遊技盤１４の遊技領域１４ａに打ち出すために遊技球発射装置２０が用いられている。図１において、１６は、発射／打力調整用の操作ハンドル、１８は発射レールである。
【０００３】
この遊技球発射装置２０においては、打球の発射力を調整するために、ワイヤ、歯車あるいはロッドを用いている。
【０００４】
図２（特許文献１の図１に対応する正面図）、図３（特許文献１の図４に対応する斜視図）、図４（特許文献１の図５に対応する分解斜視図）、図５（特許文献１の図３に対応する裏面図）は、特許文献１に記載された従来の遊技球発射装置（打球ユニットとも称する）２０の構成例を示すもので、打球の発射力を調節する際に、ワイヤ６０を用いている事例である。即ち、ワイヤ６０の両端は玉かしめされ、一端が打力調節ユニット５２のプーリボックス５４に内蔵された原動プーリ５６のプーリ溝に掛けられ、もう一端が、同じく打力調節ユニット５２の付勢装置６４のハンドル側カップ６８外周のプーリ溝６８ａに掛けられている。そして、図１に示した操作ハンドル１６が回動されると、該操作ハンドル１６のハンドル固定部６２が回動され、原動プーリ５６が回動されて、ワイヤ６０を介して付勢装置６４のハンドル側カップ６８が回動され、内蔵された捻りコイルばね７０の初期引張量が変化して、打力が調節される。
【０００５】
図において、２２は、パチンコ球を遊技盤１４(図１)に打ち出すための、回転軸２４の周りに回動自在とされた打球槌、２６は、槌先部材、４０はベースプレート、４２は、前記打球槌２２の回動領域を跨ぐよう該ベースプレート４０の裏面に固定されたモータ台、４４は、該モータ台４２に固定された打球槌駆動モータ、４６は、該モータ４４の回転軸４４ａに固定されたカム、４８は、該カム４６と係合するカム受けローラ、５０は、打球槌２２を発射位置に止めるための、例えばゴム製の打球槌ストッパ、５２は、前記ベースプレート４０の表面に取付けられた、打球槌２２の打球力（打力）を調節するための、プーリボックス５４及び付勢装置６４を備えた打力調節ユニット、５６及び５８は、該プーリボックス５４に内蔵された原動プーリ及び補助プーリ、６０は、一端が該原動プーリ５６に係止され、他端が補助プーリ５８に巻き掛けて外部に引き出すようにされたワイヤ、６２は、図１に示した操作ハンドル１６が固定される、前記原動プーリ５６に達する軸孔６２ａが中心に貫通されたハンドル固定部、６６及び６８は、前記付勢装置６４を構成する槌側カップ及びハンドル側カップ、７０は、両カップ６６、６８をつなぐ、両カップ６６、６８間に圧縮状態で組込まれた、打力を与えるための捻りコイルばね、６６ａは、該コイルばね７０の一端を掛けるためのばね掛けスリット、７２は、前記打球槌２２の揺動運動を発射球供給装置(図示省略)に伝達して、打球槌２２の打球動作と発射球供給装置の供給動作を同期させるための、前記槌側カップ６６を利用する原動カムと、該原動カム(６６)のローラ６７で作動する、ベースプレート４０の固定軸４１に遊篏された従動部材７４で構成される中間伝達手段、７６及び７８は、該従動部材７４を構成する、軸８０で揺動自在にピン接合された揺動板及び作動腕、８２は、該作動腕７８を上向きに付勢するためのばねである。
【０００６】
又、図６（特許文献２の図２に対応する斜視図）、図７（特許文献２の図３に対応する背面図）、図８（特許文献２の図４に対応する正面図）及び図９（特許文献２の図６に対応する分解斜視図）は、特許文献２に示された、打球の発射力を調整する際にギヤ（回動ギヤ１００、連動ギヤ１０２、アイドルギヤ１０４、操作ギヤ１０６）を用いる遊技球発射装置２０を示すものであり、図２乃至図５に示した遊技球発射装置２０に対応する部材には同じ符号を付している。
【０００７】
図において、１１０、１１２（図９）は、駆動軸２４の軸受、１１４は、打球槌２２と共に駆動軸２４により回動される、先端にヒットローラ１１６が備えられた、駆動機構のヒットアーム、６６ｂは、槌側カップ６６の外周に形成された歯山、１２０は、捻りコイルばね７０を収容するための、円弧状の遊動穴１２０ａ及びビス軸（保持軸）１２０ｂ、１２０ｃを備えた保持キャップ（保持部材及び連結機構）、１２２、１２４はナット、１２６は変位部材（連結機構）、１２８は圧縮コイルばね、１３０は調整カム、１３２は、その回動軸、１３４はカバー部材、１３６は、つまみ（操作部材）、１３８は芯ビス、１４０は止めビス、１４２（図７）はストッパ、１４４（図７）はカップリング、１４６は、その係合爪、１５０は、パルスモータ（図示省略）によって駆動される駆動ギヤ、１５２は、該駆動ギヤ１５０と噛合する駆動カム１５４が固着された従動ギヤである。
【０００８】
又、図１０（特許文献３の図１に対応する斜視図）及び図１１（特許文献３の図２に対応する正面図）は、特許文献３に示された、打球の発射力を調節する際に、直線状のロッド１６０を用いる遊技球発射装置２０を示すものであり、図２乃至図５に示した遊技球発射装置２０に対応する部材には同じ符号を付している。
【０００９】
図１０において、８は遊技球、１７は、操作ハンドル１６の連結軸、１６２は、該連結軸１７の先端に固定されたカム板、１６４は、該カム板１６２の外周に当接するよう、係動板１６６のほぼ中央に回動可能に設けられた、カム板１６２の回動に応じてケース１６８の切欠１６８ａ内を水平方向に摺動するカムローラ、１６８は、前記係動板１６６の一端に設けられた、前記ロッド１６０の一端が回動可能に接続される係動軸、１７０は、前記係動板１６６の他端に設けられた固定軸、１７２は、前記ロッド１６０の他軸が接続される、揺動軸１７２ａを中心に回動する揺動板、１７４は、該揺動板１７２の一端が連結された、ベースプレート４０に固定された基台１７６の案内溝に沿って水平方向に摺動する摺動板、７１は、図２〜図９に示した先行技術の捻りコイルばね７０に対応する、打力を与えるための、一端が、打球槌２２の掛止部２２ａに掛止され、他端が、前記摺動板１７４の掛止部１７４ａに掛止された引張コイルばね、１７８は、打力調節つまみ１３６のカム歯１３６ａと噛合する噛合部１７８ａを備えた摺動体である。
【００１０】
そして、調整つまみ１３６を回動すると、摺動体１７８が水平方向に摺動し、ロッド１６０の位置が水平方向に移動して、打力が調整される。
【００１１】
【特許文献１】特開２００３−７９８４４号公報
【特許文献２】特開平９−７５５１２号公報
【特許文献３】特開平７−２５５９０８号公報
【発明の開示】
【発明が解決しようとする課題】
【００１２】
しかしながら、特許文献１に記載されたワイヤ式の発射装置においては、（１）ワイヤ６０が伸びて当初の発射力が維持できない、（２）ワイヤ６０の両端にかしめが必要で、かしめ部が外れる不安があるだけでなく、（３）コストも高い等の問題点を有していた。
【００１３】
又、特許文献２に記載されたギヤ式の発射装置においては、ハンドル軸の位置制約により、レイアウト上の制約が大きく、レイアウト上の自由度が少ないという問題点があった。
【００１４】
又、特許文献３に記載されたロッド式の発射装置においても、機構が複雑なだけでなく、直線状のロッド１６０であると、ロッドを通す位置の制約があり、レイアウト上の自由度が少ないという問題点を有していた。
【００１５】
更に、前記のような遊技球発射装置２０は、使用を繰返していくと、発射力を与えるばね７０、７１が劣化し、発射力が低下してしまうので、発射力の調節範囲を変える必要があるが、いずれの方式も、発射力の調節範囲を変更する際には、ばねの掛け位置を掛け替える必要があるので、分解しなければならない部品点数が多く、作業が困難であるという問題点を有していた。
【００１６】
本発明は、前記従来の問題点を解決するべくなされたもので、発射力や、その調節範囲を簡単な機構で容易に変えられるようにすることを課題とする。
【課題を解決するための手段】
【００１７】
本発明は、遊技機の遊技領域に遊技球を打ち出すための、打力調節ユニットに伝えられる操作ハンドルの回動変位に応じて、遊技球の発射力が調節可能とされた遊技機の遊技球発射装置において、前記操作ハンドルの回動変位を打力調節ユニットに伝える中間リンクを備え、該中間リンクの少なくとも一端の結合位置を変えることで、発射力、及び、その調節範囲の少なくともいずれか一方を調整可能とすることにより、前記課題を解決したものである。
【００１８】
又、前記中間リンクの少なくとも一端の結合位置を変えるための長穴を備えたものである。
【００１９】
本発明は、又、前記の遊技球発射装置を備えたことを特徴とする遊戯機を提供するものである。
【発明の効果】
【００２０】
本発明によれば、ワイヤ式の場合のようなワイヤの伸びやかしめ部の外れが無く、発射力の安定性と信頼性を大幅に向上できる。又、リンクを介しているため、ハンドル軸と打球槌の位置関係に制約が無く、レイアウト上の自由度が大きい。
【００２１】
更に、発射力や、その調節範囲を変更する際に、分解することなく、容易に変更することができる。即ち、中間リンクの結合位置を周方向に変更して、打力調節ユニットの発射力の初期値（例えば捻りコイルばねの初期捻り量）を変更した場合には、発射力を調節できる。又、中間リンクの結合位置を径方向に変更した場合には、発射力の調節範囲を調整することができる。
【発明を実施するための最良の形態】
【００２２】
以下図面を参照して、本発明の実施形態を詳細に説明する。
【００２３】
本発明の第１実施形態は、図１２（表面側から見た斜視図）、図１３（裏面側から見た斜視図）及び図１４（裏面図）に示す如く、発射レール１８の一部、打球槌２２、その回転軸２４、槌先部材２６、打球槌駆動モータ４４、該打球槌駆動モータ４４の回転軸４４ａにより回動されるカム４６、該カム４６と係合するカム受けローラ４８、打力調節ユニット５２の付勢装置６４を構成する槌側カップ６６及びハンドル側カップ６８、両カップ６６、６８を繋ぐ、両カップ６６、６８間に圧縮状態で組み込まれた、打力を与えるための捻りコイルばね７０、操作ハンドル１６が挿入されるハンドル固定台２００、及び、遊技球静止装置２０２を備えた遊技球発射装置２０において、前記ハンドル固定台２００外周に設けた結合部２００ａとハンドル側カップ６８の外周に設けた結合部６８ｂを弧状の中間リンク２１０で結ぶと共に、該中間リンク２１０のハンドル側カップ６８側を、結合部６８ｂの長穴６８ｃに接続するようにしたものである。
【００２４】
以上の構成において、打球を発射する際には、発射信号を受けて打球槌駆動モータ４４が回転すると、カム４６が回転する。これにより、カム受けローラ４８、槌側カップ６６及び回転軸２４を介して、捻りコイルばね７０の付勢に抗しつつ打球槌２２が後退する。打球槌２２が所定の位置まで後退すると、カム受けローラ４８がカム４６から外れて、捻りコイルばね７０の付勢力により、打球槌２４が勢い良く回動し、打球槌ストッパ５０に当たって止まる。このとき、発射レール１８上の発射部に遊技球があれば、遊技球は槌先部材２６に当たって、勢い良く飛び出す。
【００２５】
又、発射力を調整する際には、遊技者が操作ハンドル１６を回すと、ハンドル軸（図示省略）を介してハンドル固定台２００に伝わり、中間リンク２１０を介して、ハンドル側カップ６８が回動し、捻りコイルばね７０の捻り量を変え、弾発力を変えることにより、発射力が調節される。
【００２６】
図１３は、ハンドルが最小角度で発射力が最小の状態を示し、図１４は、ハンドルが最大角度で発射力が最大の状態を示す。
【００２７】
ここで、ハンドル側カップ６８と中間リンク２１０の結合部６８ｂは、図１５に詳細に示す如く、長穴６８ｃ状となっており、ハンドル側カップ６８の初期位置が無段階で連続的に変更可能であるので、捻りコイルばね７０の捻り量を変えて、発射力を無段階で連続的に調節することができる。
【００２８】
図１６（Ａ）は、発射力が小でハンドル位置最小、図１６（Ｂ）は、発射力が小でハンドル位置最大、図１６（Ｃ）は、発射力が大でハンドル位置最小、図１６（Ｄ）は、発射力が大でハンドル位置最大の状態を、それぞれ示す。
【００２９】
なお、前記第１実施形態においては、ハンドル側カップ６８の結合部６８ｂに図１５に示したような長穴６８ｃを設けていたが、中間リンク２１０の結合位置を変える方法は、これに限定されず、図１７に示す第２実施形態の如く、ハンドル側カップ６８と中間リンク２１０の結合部６８ｂに複数の穴６８ｄを設け、組み替え可能にして発射力を調節することもできる。
【００３０】
なお、前記実施形態においては、いずれも、中間リンク２１０とハンドル側カップ６８の結合位置が調整可能とされていたが、図１８に示す第３実施形態の如く、中間リンク２１０とハンドル固定台２００側の結合部２００ａを長穴２００ｂ状又は複数の穴として、結合位置を変えるようにすることができる。
【００３１】
これによりハンドル固定台２００とハンドル側カップ６８との回転比を変えることができるので、図１８(Ａ)(調節範囲大でハンドル位置最小)、(Ｂ)(調節範囲大でハンドル位置最大)、(Ｃ)(調節範囲小でハンドル位置最小)、(Ｄ)(調節範囲小でハンドル位置最大)に示す如く、発射力調節範囲の幅を調節することができる。回転比を変えるための長穴６８ｅ又は複数の穴は、図１９に示す第４実施形態の如く、ハンドル側カップ６８側に設けてもよい。又、偏心軸を用いても同様の効果が得られる。
【００３２】
更に、中間リンク２１０のハンドル固定台２００側、ハンドル側カップ６８側の両方の結合位置を変更可能とすることもできる。
【００３３】
なお、前記実施形態においては、本発明がパチンコ機に適用されていたが、本発明の適用対象はこれに限定されず、遊技機一般に同様に適用できる。
【図面の簡単な説明】
【００３４】
【図１】ガラス面を開いた状態のパチンコ機を示す斜視図
【図２】特許文献１に記載された遊技球発射装置の正面図
【図３】同じく斜視図
【図４】同じく分解斜視図
【図５】同じく裏面図
【図６】特許文献２に記載された遊技球発射装置の構成を示す斜視図
【図７】同じく背面図
【図８】同じく正面図
【図９】同じく分解斜視図
【図１０】特許文献３に記載された遊技球発射装置の構成を示す斜視図
【図１１】同じく正面図
【図１２】本発明の第１実施形態の遊技球発射装置の要部構成を示すベースプレートの表面側から見た斜視図
【図１３】同じくベースプレートの裏面側から見た斜視図
【図１４】同じく裏面図
【図１５】同じくハンドル側カップを示す正面図
【図１６】第１実施形態の作用を説明するための正面図
【図１７】第２実施形態のハンドル側カップを示す正面図
【図１８】本発明の第３実施形態の遊技球発射装置の要部構成及び作用を示す正面図
【図１９】本発明の第４実施形態の要部構成を示す正面図
【符号の説明】
【００３５】
１０…パチンコ機
１４…遊技盤
１４ａ…遊技領域
１６…操作ハンドル
１８…発射レール
２０…遊技球発射装置（打球ユニット）
２２…打球槌
４４…打球槌駆動モータ
４６…カム
４８…カム受けローラ
５２…打力調節ユニット
６４…付勢装置
６６…槌側カップ
６８…ハンドル側カップ
６８ｂ…結合部
６８ｃ、６８ｅ…長穴
６８ｄ…複数の穴
７０…捻りコイルばね
２００…ハンドル固定台
２００ａ…結合部
２００ｂ…長穴
２１０…中間リンク
【図１】
2006345921.tif 000003
【図２】
2006345921.tif 000004
【図３】
2006345921.tif 000005
【図４】
2006345921.tif 000006
【図５】
2006345921.tif 000007
【図６】
2006345921.tif 000008
【図７】
2006345921.tif 000009
【図８】
2006345921.tif 000010
【図９】
2006345921.tif 000011
【図１０】
2006345921.tif 000012
【図１１】
2006345921.tif 000013
【図１２】
2006345921.tif 000014
【図１３】
2006345921.tif 000015
【図１４】
2006345921.tif 000016
【図１５】
2006345921.tif 000017
【図１６】
2006345921.tif 000018
【図１７】
2006345921.tif 000019
【図１８】
2006345921.tif 000020
【図１９】
2006345921.tif 000021